(57)【要約】【課題】従来は、捕虫ケースの開口部上方近傍に誘虫灯を配して虫を誘引し、誘引した虫が、捕虫ケース内に落下又は侵入し、捕虫ケースに設けた加熱手段に接触し殺虫し、この死虫を乾燥するとともに、この加熱した開口部周縁の熱で、捕虫ケースからの虫の逃亡を防止する構成である。しかし、一体構造であり、茶果樹園には不向きである。【構成】本発明は、茶果樹園に誘引灯・防虫灯及び／又はカバーを備えた誘引装置と、この誘引装置の直下又は近傍に殺虫灯、死虫収容部又はこの死虫収容部用の蓋体とを備えた死虫収容装置で、誘引装置を、茶果樹園の茶果樹の上方で視認可能な位置とし、かつ死虫収容装置を、茶果樹園の茶果樹内に隠して視認困難な位置とした構成である。【選択図】図１
2007228892.tif 000002
【特許請求の範囲】
【請求項１】
茶果樹園に誘引灯・防虫灯及び／又はカバーを備えた誘引装置と、この誘引装置の直下又は近傍に殺虫灯、死虫収容部又はこの死虫収容部用の蓋体とを備えた死虫収容装置とを配備し、
この誘引装置を、茶果樹園の茶果樹の上方で視認可能な位置（視認できる位置）とし、かつ死虫収容装置を、前記茶果樹園の茶果樹内に隠して視認困難な位置（視認できない位置）とした構成であって、
この茶果樹園の上方の誘引装置を介して飛来する害虫を誘引し、この誘引した害虫を死滅し、前記死虫収容装置に略密閉して収容可能とする構成とした害虫誘引殺虫機構。
【請求項２】
請求項１に記載の害虫誘引殺虫機構において、その誘引灯を、青色蛍光ランプ、ブラックライト蛍光ランプ等の誘引効果がある光源とする構成とした害虫誘引殺虫機構。
【請求項３】
請求項１に記載の害虫誘引殺虫機構において、その防虫灯を、イエロー蛍光ランプ等の防虫効果がある光源とする構成とした害虫誘引殺虫機構。
【請求項４】
請求項１に記載の害虫誘引殺虫機構において、その殺虫灯を、紫外線ランプ、紫外線低圧水銀ランプ等の殺虫効果がある光源とする構成とした害虫誘引殺虫機構。
【請求項５】
請求項１に記載の害虫誘引殺虫機構において、その茶果樹園は、茶園とする構成とした害虫誘引殺虫機構。
【請求項６】
請求項１に記載の害虫誘引殺虫機構において、その死虫収容装置を、請求項５の茶園の茶樹内に隠蔽して設ける構成とした害虫誘引殺虫機構。
【発明の詳細な説明】
【技術分野】
【０００１】
本発明は、茶果樹園（茶園、果樹園、農場等の圃場）の害虫誘引殺虫機構に関する。
【背景技術】
【０００２】
周知の如く、農薬の散布による人、作物の薬害や、生活環境の破壊等の種々の問題（弊害）、植物及び／又は虫、鳥、家畜等の動物（虫とする）に対する薬害等が大きな問題となっている。しかし、この農薬の散布を停止すれば、当然、茶葉、果実の虫食いによる被害が大きくなり、収穫量の減少、品質の低下、又は経済的な打撃等の種々の問題点がクローズアップされてきた。
【０００３】
以上のような状況に鑑み、業界及び／又は市場において、青色蛍光ランプ、ブラックライト蛍光ランプ等の誘引効果がある光源、又はイエロー蛍光ランプ等の防虫効果がある光源を利用して害虫誘引、防虫し、その後、紫外線ランプ、紫外線低圧水銀ランプ等の殺虫効果がある光源で殺虫する機構を採用している。
【０００４】
しかし、現実には、この青色蛍光ランプ、ブラックライト蛍光ランプ等の光源、又はイエロー蛍光ランプ等の光源を利用して害虫誘引、防虫し、その後、紫外線ランプ、紫外線低圧水銀ランプ等の光源で殺虫する方法は、必ずしも充分な成果を挙げていないのが現況である。
【０００５】
尚、この種の各光源を利用した先行文献としては、次のような文献（１）〜文献（２）が挙げられる。以下、その概要を説明する。先ず、文献（１）は、特開２００２−１２５５６０の「捕獲殺虫装置」である。その内容は、捕虫ケースの開口部上方近傍に誘虫灯を配して虫を誘引し、この誘引した虫が、捕虫ケース内に落下又は侵入し、この捕虫ケースに設けた加熱手段（加熱された内壁）に接触し殺虫し、この死虫を乾燥するとともに、この加熱した開口部周縁の熱で、捕虫ケースからの虫の逃亡を防止する構成である。従って、簡易な構成で効率よく誘虫し、捕獲殺虫可能であるととともに衛生的である捕獲殺虫装置を提供できる。次に、文献（２）は、特開２００１−８６９１６の「紫外線昆虫誘引装置及び殺虫装置」である。その内容は、紫外線を放射する発光ダイオード（ＬＥＤ）から構成される光源を備える紫外線昆虫誘引装置、及び紫外線昆虫誘引装置と殺虫手段とを具備する殺虫装置である。従って、人間への安全性が高く、環境にやさしく、低電圧電源を利用でき、装置寿命が長く、かつ任意の放射スペクトルとすることが容易な紫外線昆虫誘引装置及び殺虫装置を提供できる。
【０００６】
【特許文献１】特開２００２−１２５５６０
【特許文献２】特開２００１−８６９１６
【発明の開示】
【発明が解決しようとする課題】
【０００７】
前記文献（１）・（２）は、単に、誘引装置と殺虫装置とを組付けた構成に留まることから、次のような問題点がある。［１］  害虫の特性を有効に捉えて、防虫及び／又は殺虫を図ることができない。［２］  茶果樹園に飛来する害虫を確実に、誘引又は防虫し、その後に、捕獲した害虫を死滅させる方法ではない。［３］  単に、誘引装置と殺虫装置とを一つのケース（箱体）に組付けた構成に留まることから、効率的で、かつ広範囲に捕獲、殺虫、又は防虫等することはできない。［４］  この構造では、茶果樹園の圃場に設置するには構造的に不可能である。［５］  誘引装置と殺虫装置とを組付けた一体構造では、広域的な圃場では、充分な誘引及び／又は防虫又は殺虫は期待できない。
【課題を解決するための手段】
【０００８】
請求項１の発明は、次のようなことを意図する。［イ］  害虫の特性を有効に捉えて、防虫及び／又は殺虫を図ること、［ロ］  茶果樹園に飛来する害虫を確実に、誘引又は防虫し、その後に、捕獲した害虫を死滅させる方法を提供すること、［ハ］  効率的で、かつ広範囲に捕獲、殺虫、又は防虫等を図ること、［ニ］  茶果樹園の圃場に設置するに最適な構造を提供すること、［ホ］  広域的な圃場での、充分な誘引及び／又は防虫又は殺虫を意図する。
【０００９】
請求項１は、茶果樹園に誘引灯・防虫灯及び／又はカバーを備えた誘引装置と、この誘引装置の直下又は近傍に殺虫灯、死虫収容部又はこの死虫収容部用の蓋体とを備えた死虫収容装置とを配備し、
この誘引装置を、茶果樹園の茶果樹の上方で視認可能な位置とし、かつ死虫収容装置を、前記茶果樹園の茶果樹内に隠して視認困難な位置とした構成であって、
この茶果樹園の上方の誘引装置を介して飛来する害虫を誘引し、この誘引した害虫を死滅し、前記死虫収容装置（捕虫収容装置に代替することもあり得る）に略密閉して収容可能とする構成とした害虫誘引殺虫機構である。
【００１０】
請求項２の発明は、請求項１の目的を達成すること、この目的を達成するのに最適な誘引灯を提供することを意図する。
【００１１】
請求項２は、請求項１に記載の害虫誘引殺虫機構において、その誘引灯を、青色蛍光ランプ、ブラックライト蛍光ランプ等の誘引効果がある光源とする構成とした害虫誘引殺虫機構である。
【００１２】
請求項３の発明は、請求項１の目的を達成すること、この目的を達成するのに最適な防虫灯を提供することを意図する。
【００１３】
請求項３は、請求項１に記載の害虫誘引殺虫機構において、その防虫灯を、イエロー蛍光ランプ等の防虫効果がある光源とする構成とした害虫誘引殺虫機構である。
【００１４】
請求項４の発明は、請求項１の目的を達成すること、この目的を達成するのに最適な殺虫灯を提供することを意図する。
【００１５】
請求項４は、請求項１に記載の害虫誘引殺虫機構において、その殺虫灯を、紫外線ランプ、紫外線低圧水銀ランプ等の殺虫効果がある光源とする構成とした害虫誘引殺虫機構である。
【００１６】
請求項５の発明は、請求項１の目的を達成すること、この目的を達成するのに最適な茶果樹園を提供することを意図する。
【００１７】
請求項５は、請求項１に記載の害虫誘引殺虫機構において、その茶果樹園は、茶園とする構成とした害虫誘引殺虫機構である。
【００１８】
請求項６の発明は、請求項１の目的を達成すること、この目的を達成するのに最適な死虫収容装置を提供することを意図する。
【００１９】
請求項６は、請求項１に記載の害虫誘引殺虫機構において、その死虫収容装置を、請求項５の茶園の茶樹内に隠蔽して設ける構成とした害虫誘引殺虫機構である。
【発明の効果】
【００２０】
請求項１の発明は、茶果樹園に誘引灯・防虫灯及び／又はカバーを備えた誘引装置と、この誘引装置の直下又は近傍に殺虫灯、死虫収容部又はこの死虫収容部用の蓋体とを備えた死虫収容装置とを配備し、
誘引装置を、茶果樹園の茶果樹の上方で視認可能な位置とし、かつ死虫収容装置を、茶果樹園の茶果樹内に隠して視認困難な位置とした構成であって、
茶果樹園の上方の誘引装置を介して飛来する害虫を誘引し、誘引した害虫を死滅し、死虫収容装置に略密閉して収容可能とする害虫誘引殺虫機構である。
【００２１】
従って、請求項１は、次のような特徴がある。［イ］  害虫の特性を有効に捉えて、防虫及び／又は殺虫が図れること、［ロ］  茶果樹園に飛来する害虫を確実に、誘引又は防虫し、その後に、捕獲した害虫を死滅させる方法を提供できること、［ハ］  効率的で、かつ広範囲に捕獲、殺虫、又は防虫等が図れること、［ニ］  茶果樹園の圃場に設置するに最適な構造を提供できること、［ホ］  広域的な圃場での、充分な誘引及び／又は防虫又は殺虫が図れること等である。
【００２２】
請求項２の発明は、請求項１に記載の害虫誘引殺虫機構において、誘引灯を、青色蛍光ランプ、ブラックライト蛍光ランプ等の誘引効果がある光源とする害虫誘引殺虫機構である。
【００２３】
従って、請求項２は、請求項１の目的を達成できること、この目的を達成するのに最適な誘引灯を提供できること等の特徴を有する。
【００２４】
請求項３の発明は、請求項１に記載の害虫誘引殺虫機構において、防虫灯を、イエロー蛍光ランプ等の防虫効果がある光源とする害虫誘引殺虫機構である。
【００２５】
従って、請求項３は、請求項１の目的を達成できること、この目的を達成するのに最適な防虫灯を提供できること等の特徴を有する。
【００２６】
請求項４の発明は、請求項１に記載の害虫誘引殺虫機構において、殺虫灯を、紫外線ランプ、紫外線低圧水銀ランプ等の殺虫効果がある光源とする害虫誘引殺虫機構である。
【００２７】
従って、請求項４は、請求項１の目的を達成できること、この目的を達成するのに最適な殺虫灯を提供できること等の特徴を有する。
【００２８】
請求項５の発明は、請求項１に記載の害虫誘引殺虫機構において、茶果樹園は、茶園とする害虫誘引殺虫機構である。
【００２９】
従って、請求項５は、請求項１の目的を達成できること、この目的を達成するのに最適な茶果樹園を提供できること等の特徴を有する。
【００３０】
請求項６の発明は、請求項１に記載の害虫誘引殺虫機構において、その死虫収容装置を、請求項５の茶園の茶樹内に隠蔽して設ける害虫誘引殺虫機構である。
【００３１】
従って、請求項６は、請求項１の目的を達成できること、この目的を達成するのに最適な死虫収容装置を提供できること等の特徴を有する。
【発明を実施するための最良の形態】
【００３２】
本発明の一例を説明する。
【００３３】
図において、１は茶果樹園の茶果樹の上方で視認可能な位置（視認できる位置）に設置した誘引装置となる高所の光源であり、この高所の光源１は、例えば、誘引効果がある構成であって、誘引灯１００の青色蛍光ランプ、ブラックライト蛍光ランプ等とするか、又は防虫効果がある構成であって、防虫灯１０１のイエロー蛍光ランプ等とする。そして、この高所の光源１を利用して、この図例の如く、茶園Ａに飛来する略全ての害虫を誘引するか、又は防虫を図る。そして、この例の如く、視認可能な位置とは、例えば、視認できる位置であって、茶樹Ｈの上方位置であり、かつ飛来する害虫の視認に邪魔とならない空中に設けられる。
【００３４】
そして、例えば、高所の光源１をブラックライト蛍光ランプとした例では、次のような害虫の誘引に有効である。例えば、果樹園では、アケビコノハ等のヤガ類、ハスモンヨトウ等のヨトウムシ類とか、またミカン、ナシ及びビワ等では、カメムシである。そして、また例えば、高所の光源１をイエロー蛍光ランプした例では、次のような害虫の防虫に有効である。例えば、茶では、チャノホソガ、チャノコカクモンハマキ、チャハマキ等であり、かきでは、チャバネアオカメムシである。そして、キャベツでは、ハイマダラノメイガ、またなすでは、オオタバコガ、さらにレタス苗では、タバコガ、ヨトウムシ類が挙げられる。またカーネーションの花類では、オオタバコガ、ハスモンヨトウ、ソロイチモジヨトウが挙げられる。
【００３５】
また図において、２は茶果樹園の茶果樹の内の視認困難な位置（少なくとも、後述する殺虫灯が視認できない位置）に設置した死虫収容装置となる低所の光源であり、この低所の光源２は、例えば、殺虫効果がある構成であって、殺虫灯１０２の紫外線ランプ、紫外線低圧水銀ランプ等とする。そして、この低所の光源２は、ケース３に内蔵されており、このケース３は蓋５で開閉される。この蓋５は害虫の重みで開放され、その後、自動閉塞（密封状態に閉塞）される構成となっている。そして、この例の如く、視認困難な位置とは、例えば、視認できない位置であって、茶樹Ｈの中で、例えば、樹高より低い箇所に設けられており、原則として、飛来する害虫からは、即座に見えない箇所を想定する。これにより、害虫を、この誘引装置となる高所の光源１及び／又はその近傍に引き寄せた後に、この害虫を、茶樹Ｈで隠蔽されている低所の光源２内に誘導し、この低所の光源２で殺虫し、このケース３内に収容する構成である。そして、このケース３には図示しないが取出口を備えている。
【００３６】
以上のように、誘導装置の高所の光源１を、茶樹Ｈの上方に配し、死虫収容装置の低所の光源２を、茶樹Ｈの中に配する構成としたことで、飛来する害虫を確実に誘導した後、自然と死虫収容装置に導き、殺虫かつ収容できる特徴がある。
【００３７】
尚、本発明の高所の光源１及び／又は低所の光源２は、茶園Ａの適所に、一基又は数基それぞれ設けられる。また高所の光源１及び／又は低所の光源２の基数は、必ずしも対でなく、変更される場合もあり得る。例えば、高所の光源１が一基で、低所の光源２が一基又は数基の例とか、逆に高所の光源１が一基又は数基で、低所の光源２が一基等の構成も可能である。また高所の光源１を数基の低所の光源２で囲繞すること、又は逆に低所の光源２を数基の高所の光源１で囲繞すること等もあり得る。
【図面の簡単な説明】
【００３８】
【図１】本発明の概念模式図
【符号の説明】
【００３９】
１              高所の光源
１００          誘導灯
１０１          防虫灯
１０２          殺虫灯
２              低所の光源
３              ケース
５              蓋
Ａ              茶園
Ｈ              茶樹
【図１】
2007228892.tif 000003